(57)【要約】【課題】激しい動きをしても首から外れたり、ずれたりすることのないスカーフを提供する。【解決手段】スカーフは、首に巻きつけて使用できる長さのスカーフ本体１に、そのスカーフ本体１の両端部に設けられた互いに係止可能な固定手段２，２と、スカーフ本体１の一側端に設けられた耳掛け手段３，３と、が設けられている。【選択図】図１
2007169862.tif 000002
【特許請求の範囲】
【請求項１】
首に巻きつけて使用するスカーフであって、前記スカーフは首を覆うスカーフ本体と、そのスカーフ本体の両端部に設けられた互いに係止可能な首への固定手段と、前記スカーフ本体に設けられた耳掛け手段と、が備えられていることを特徴とするスカーフ。
【請求項２】
前記スカーフ本体が、首に巻きつけることのできる長さの布状体であり、前記耳掛け手段が前記布状体の一側端部に設けられていることを特徴とするスカーフ。
【発明の詳細な説明】
【技術分野】
【０００１】  本発明は、首筋や襟足の日焼け止めや防寒、汗の吸収を目的とするスカーフに関するものであり、激しい動きをしても首から外れたり、ずれたりすることのないスカーフに関する。
【背景技術】
【０００２】  薬剤によらずに日焼けを防止する方法としては、日傘をさす等の方法があるが、激しい動きをするのには適していない。また、スポーツ用の帽子があるが、激しい動きをしたり、強い風が吹くと帽子が飛ばされることがある。さらに、帽子を被ることにより、髪型が乱れるのが気になる場合もある。【０００３】  上記のような問題を解決するため、襟足を覆うための本体部と本体部上縁に取り付けられた首あて部から構成される襟足冷却具が開示されている（下記特許文献１参照）。しかし、この技術は、首に巻きつけた延長部同士をファスナー等で固定するだけのため、上下運動を伴うような激しいスポーツをする場合には、襟足冷却具を襟足に固定しておくことが困難であるという問題がある。【０００４】
【特許文献１】特開２０００−３２８３１８号公報
【発明の開示】
【発明が解決しょうとする課題】
【０００５】  本発明は、激しい動きをしても首から外れたり、ずれたりすることのないスカーフを提供することを目的とする。
【課題を解決するための手段】
【０００６】  本発明は、首にスカーフ本体を固定して使用するものであり、スカーフが首からから外れたり、ずれたりすることのないように、スカーフ本体を首にまき、両端を係止することに加え、耳掛け手段を設けたものである。
【０００７】  すなわち、本発明は、（１）、首に巻きつけて使用するスカーフであって、前記スカーフは首を覆うスカーフ本体と、そのスカーフ本体の両端部に設けられた互いに係止可能な首への固定手段と、前記スカーフ本体に設けられた耳掛け手段と、が備えられていることを特徴とするスカーフ、である。
【０００８】  本発明のスカーフは、首に巻き、両端部の固定手段で係止することができ、さらに、耳掛け手段で耳にも係止することができるので、上下動を含む激しい動きをしても首から外れたり、ずれたりすることがないという効果がある。
【０００９】  また、本発明は、上記（１）のスカーフにおいて、前記スカーフ本体が、首に巻きつけることのできる長さの布状体であり、前記耳掛け手段が前記布状体の一側端部に設けられていることを特徴とするスカーフ、である。
【００１０】  スカーフ本体を首に巻きつけることのできる長さの布状体とすることにより、固定手段と耳掛け手段とを一枚の布状体に一体的に設けることができ、構成を簡単にすることができる。つまり、容易に製造することができる。
【発明の効果】
【００１１】  本発明によれば、簡単な構成で首からから外れたり、ずれたりすることのないスカーフを提供できる。つまり、首から外れたり、ずれたりすることのないように、スカーフに耳掛け手段が設けてあり、固定手段による係止に加えスカーフを安定的に首に巻きつけておくことができる。そのため、以下のような効果が得られる。１）スカーフを首に確実に固定することができる。２）耳は外部に露出させることができるので、聴力を阻害しない。３）眼鏡をかけていても使用できる。４）サンバイザーや帽子を被っていても使用できる。５）視野が妨げられない。６）使用するスカーフ本体の素材を選ぶことにより、日焼け防止、保温、汗の吸収、保湿効果が得られる。７）スカーフ本体を大きくすることにより、広い範囲で上記６）の効果が得られる。具体的には、肩まで覆うもの等を構成することができる。
以上説明したように、確実に固定でき、安定性があり、視野が広く、聴力も阻害されないので幅広いスポーツに利用することができる。
【発明を実施するための最良の形態】
【００１２】  以下、本発明の実施の形態を、図面を参照して説明する。図１は、本発明のスカーフの基本構成示す正面図である。図１に示されるように、スカーフは、首に巻きつけて使用できる長さの布状のスカーフ本体１に、そのスカーフ本体１の両端部に設けられた互いに係止可能な固定手段２，２と、スカーフ本体１の一側端に設けられた耳掛け手段３，３と、が設けられている。【００１３】  スカーフ本体１は、首に巻きつけて使用できる長さとなされており、両端部から中央部に向けて幅が広くなるように形成されている。スカーフ本体１の長さは使用する人により異なるが、具体的には６０ｃｍから１００ｃｍの長さとなされるのが好ましく、７０ｃｍから８０ｃｍの長さとなされるとさらに好ましい。また、長さを調整できるように、スカーフ本体１を伸縮可能になされているとさらに好ましい。スカーフ本体１の材質は、特に紫外線を遮蔽する性能が優れたものであれば日焼け防止効果が大きいので好ましい。具体的には、布にアルミニウム等の金属を真空蒸着したり、紫外線を吸収するような物質を塗布したりすることが効果的である。さらに、汗を効果的に吸収できる材質であれば、発汗するような状況においても好適に使用することができる。また、断熱性に優れる材質であれば保温目的に、保湿性に優れた材質であれば保湿目的に好適に使用することができる。さらに、複数の性質を兼ね備えた材質であれば、複数の目的に好適に使用することができる。【００１４】  固定手段２は、スポーツ等激しい動きをしても固定できるものであれば採用できる。具体的には、一般的に、メンテープとして知られているものや、ボタンやホックや紐を好適に使用することができる。【００１５】  耳掛け手段３，３は、スカーフ本体１を首に巻いたときに、両方の耳に掛けることができる位置に設けられ、首に巻いて固定手段２，２で固定されたスカーフ本体１を、さらに首に確実にフィットするように使用される。
耳掛け手段３，３は、スカーフ本体１の一側端部に切り込み部を設け、スカーフ本体１の一側端に渡ってひもを取り付けることによって簡単に形成できる。このひもは、ゴム等弾力のあるものであると、特に耳に確実に固定することができ好ましい。切り込み部は、耳を挿入できる大きさの、両端が閉じた切欠きとして形成することもできる。【００１６】  本発明の他の実施の形態を、図２に基づいて説明する。スカーフは、首の後部を覆うことができる長さ、及び幅の布状のスカーフ本体１１と、その両端部に設けられた紐状の固定手段２１，２１と、スカーフ本体１１の一側端に設けられたリング状の耳掛け手段３１，３１とから形成されている。【００１７】  固定手段２１，２１は、首の前部で結ぶことによりスカーフ本体１１を固定するために使用される。そのため、柔軟性があり、繰り返し使用しても強度が低下しないものがよい。具体的には、帯状の布が好適に使用され、伸縮性があると、固定が確実にできるので好ましい。耳掛け手段３１，３１はスカーフ本体１１の一側端の両側の耳に掛けることができる位置に設けられている。耳掛け手段３１，３１は耳に確実に係止できるように、弾力性のある材質で形成されるのが好ましい。特に、伸縮性のある布で形成されると、肌触りがよいので好ましい。また、着脱自在にスカーフ本体に固着されていると、汚れたときの洗濯が容易なので好ましい。【００１８】  本発明のスカーフは、図３に示すように、スカーフ本体１を首の周りに巻き、スカーフ本体１に設けられた耳掛け手段３，３を耳にかけ、スカーフ本体１の両端部に設けられた固定手段２，２で首に係止して使用される。【００１９】  本発明のスカーフは、上述のように使用されるので、上下動を含む動きが伴うスポーツのように、屋外で激しい動きをしても首にフィットして違和感なく使用することができ、かつ、日焼けを防止したり、防寒や汗の吸収の目的を達成することができる。さらに、その構成が単純であるため、製造が容易であることに加え、収納や持ち運びに便利である。かつ、汗等で汚れた場合にも、洗濯・乾燥が容易であるという効果も有する。
【産業上の利用可能性】
【００２０】  本発明のスカーフは、スポーツ等の屋外で激しい動きする際に好適に使用することができるので、屋外のスポーツを振興することができる。また、そのための新しい衣料を提供する産業にて利用されうる。
【図面の簡単な説明】
【００２１】
【図１】本発明のスカーフの平面図である。
【図２】本発明の他のスカーフの平面図である。
【図３】本発明のスカーフの使用方法の説明図である。
【符号の説明】
【００２２】  １，１１    スカーフ本体
２，２１    固定手段
３，３１    耳掛け手段
【図１】
2007169862.tif 000003
【図２】
2007169862.tif 000004
【図３】
2007169862.tif 000005